(57)【特許請求の範囲】
【請求項１】
可撓性帯状体に、複数の発熱部が設けられた温熱治療用具であって、
前記発熱部が、前記可撓性帯状体を構成する基材シートと酸素透過性シートと、これら基材シートと酸素透過性シートとの間に形成された袋状の収容部と、該収容部に充填された酸化発熱型の発熱組成物とを含んで構成され、
前記収容部における前記発熱組成物の充填割合Ｒが、下記（１）式を満足するとともに０．７未満であり、
前記収容部内の前記発熱組成物の発熱量が、前記収容部の平面視面積当たり０．２６ｋｃａｌ／ｃｍ２以上であることを特徴とする温熱治療用具。
Ｒ≦−０．０１６Ｓ＋０．９４        （１）式
ただし、Ｓは発熱組成物の収容部の平面視面積（単位：ｃｍ２）であり、Ｒは下記式で表されるものとする。
Ｒ＝（収容部内の発熱組成物の質量）／（収容部に充填可能な発熱組成物の質量）
【請求項２】
前記充填割合Ｒが０．６３以下であることを特徴とする請求項１に記載の温熱治療用具。
【請求項３】
前記可撓性帯状体の形状が、両側の肩部の菱形筋部、僧帽筋部及び肩甲筋部に対応する扁平Ｕ字形であり、かつ、少なくとも４つの前記発熱部を備えていることを特徴とする請求項１又は２に記載の温熱治療用具。
【請求項４】
前記可撓性帯状体の形状が、片側の肩部の菱形筋部、僧帽筋部及び肩甲筋部に対応する、扁平Ｌ字形であり、かつ、少なくとも２つの前記発熱部を備えていることを特徴とする請求項１又は２に記載の温熱治療用具。
【請求項５】
前記発熱部が、菱形筋部、僧帽筋部及び肩甲筋部に対応する位置にあることを特徴とする請求項３又は４に記載の温熱治療用具。
【請求項６】
前記可撓性帯状体の形状がほぼ帯状で、少なくとも２つの前記発熱部を備えていることを特徴とする請求項１又は２に記載の温熱治療用具。
【発明の詳細な説明】
【技術分野】
【０００１】
本発明は、肩こりや腰痛などの身体部位の痛みを和らげる効果のある温熱治療用具に関する。
【背景技術】
【０００２】
肩こりをはじめとする体の各部の痛みを和らげる治療法に、患部を温める温熱治療法がある。温熱治療には、通常、袋の中に収められた鉄粉と酸化促進剤とを含む発熱組成物の発熱による熱が利用されている。この発熱組成物は、約４５℃程度の温度に調整され、患部の治療に適する皮膚温度約３８〜４２℃の範囲の温度に所定時間維持することが可能なため、温熱治療用具用の発熱組成物として広く利用されている。
【０００３】
発熱組成物を利用した従来の温熱治療用具は、一般に特定の大きさの袋の中に発熱組成物が収容された単独の発熱部で構成されている。この発熱部が１つのタイプの温熱治療用具は、１箇所を重点的に温熱治療するのに有効であり、そのような用途には、効果を発揮すると認められている。しかし、肩こりや腰痛などの治療を目的として、ある程度の長さ、広さを要する箇所に、大き目の温熱治療用具を貼ると、筋肉だけではなく深部の骨まで温めることになるので、目的とする治療を効果的に行うことができないという問題点がある。また、発熱部の面積が広すぎると、肩などの湾曲部には、発熱部がフィットしにくいという欠点がある。
【０００４】
温熱治療用具として、例えば、所定量の鉄粉、活性炭、金属塩、水などを含有する粒状の発熱組成物が充填されたヒートセル（発熱部）を有し、ヒートセルにおける発熱組成物の充填容積とセル容積の割合が０．７〜１．０で、厚みが０．１５〜１．０ｃｍのヒートセルが開示されている（特許文献１）。また、ほぼ三角形の可撓性材料片と、この可撓性材料片に埋め込まれ、固定された複数の独立した熱素子（発熱部）とで構成された首部用の温熱治療用具（熱ネックラップ）が提案されている（例えば、特許文献２）。この熱ネックラップは、各発熱素子が、使用者の上背部、下首部、肩の筋肉部などに当たり、それぞれの部分を温熱することができるようになっている。
【０００５】
前述の特許文献１、２に開示されている温熱治療用具は、首部などの湾曲部に沿うように、それぞれの発熱部の面積が制限された広さとなっている。しかし、貼付箇所によっては、発熱部が体表面にしっくりとフィットした感触に乏しく、必ずしも温熱治療の効果が十分に発揮されるとは言えない。
【特許文献１】特表平１１−５０８７８６号公報
【特許文献２】特表平１１−５０８７８５号公報
【発明の開示】
【発明が解決しようとする課題】
【０００６】
本発明は、肩こりや腰痛などの痛みを和らげる効果のある、フィット感に優れた帯状の温熱治療用具を提供することを目的としている。
【課題を解決するための手段】
【０００７】
上記の課題を解決するための本発明に係る温熱治療用具（１）は、可撓性帯状体に、複数の発熱部が設けられた温熱治療用具であって、前記発熱部が、前記可撓性帯状体を構成する基材シートと酸素透過性シートと、これら基材シートと酸素透過性シートとの間に形成された袋状の収容部と、該収容部に充填された酸化発熱型の発熱組成物とを含んで構成され、前記収容部における前記発熱組成物の充填割合Ｒが、下記（１）式を満足するとともに０．７未満であり、前記収容部内の前記発熱組成物の発熱量が、前記収容部の平面視面積当たり０．２６ｋｃａｌ／ｃｍ2以上であることを特徴としている。
【０００８】
Ｒ≦−０．０１６Ｓ＋０．９４        （１）式
ただし、Ｓは発熱組成物の収容部の平面視面積（単位：ｃｍ2）であり、Ｒは下記式で表されるものとする。
【０００９】
Ｒ＝(収容部内の発熱組成物の質量)／(収容部に充填可能な発熱組成物の質量)
また、本発明に係る温熱治療用具（２）は、上記の温熱治療用具（１）において、前記充填割合Ｒが０．６３以下であることを特徴としている。
【００１１】
また、本発明に係る温熱治療用具（３）は、上記の温熱治療用具（１）又は（２）において、前記可撓性帯状体の形状が、両側の肩部の菱形筋部、僧帽筋部及び肩甲筋部に対応する扁平Ｕ字形であり、かつ、少なくとも４つの前記発熱部を備えていることを特徴としている。
【００１２】
また、本発明に係る温熱治療用具（４）は、上記の温熱治療用具（１）又は（２）において、前記可撓性帯状体の形状が、片側の肩部の菱形筋部、僧帽筋部及び肩甲筋部に対応する、扁平Ｌ字形であり、かつ、少なくとも２つの前記発熱部を備えていることを特徴としている。
【００１３】
また、本発明に係る温熱治療用具（５）は、上記の温熱治療用具（３）又は（４）において、前記発熱部が、菱形筋部、僧帽筋部及び肩甲筋部に対応する位置にあることを特徴としている。
【００１４】
また、本発明に係る温熱治療用具（６）は、上記の温熱治療用具（１）又は（２）において、前記可撓性帯状体の形状がほぼ帯状で、少なくとも２つの前記発熱部を備えていることを特徴としている。
【発明の効果】
【００１５】
本発明に係る温熱治療用具（１）によれば、充填割合が上記の（１）式を満たし、かつ０．７未満であるように決められるので、人体へのフィット感に優れている。フィット感に優れていることは、患部に効果的に熱を伝える性能にも優れていることを意味する。さらに、発熱組成物の発熱量の下限も発熱組成物の収容部の面積に応じて設定されているので、十分な持続時間をもって、患部を所定の温度に維持することができる。したがって、温熱治療用具（１）は、使用感と温熱効果の両者を満足する優れた治療用具である。
【００１６】
また、本発明に係る温熱治療用具（２）によれば、充填割合の上限が制限されているので、肩用、腰部用の温熱治療用具として、優れたフィット感と治療効果が得られる。
【００１７】
また、本発明に係る温熱治療用具（３）によれば、可撓性帯状体の形状が両側の肩部の菱形筋部、僧帽筋部及び肩甲筋部に対応する扁平Ｕ字形であり、少なくとも４つの発熱部を備えているので、肩部の温熱治療に特に大きな効果が得られる。
【００１８】
また、本発明に係る温熱治療用具（４）によれば、可撓性帯状体の形状が片側の肩部に合わせたものとなっているので、片側の肩部のみの温熱治療に優れた効果が得られる。
【００１９】
また、本発明に係る温熱治療用具（５）によれば、発熱部が菱形筋部、僧帽筋部及び肩甲筋部に対応する位置に設けられているので、これらの筋部を効果的に温熱治療することができる。
【００２０】
また、本発明に係る温熱治療用具（６）によれば、可撓性帯状体の形状がほぼ帯状であるので、腰部の温熱治療に特に優れた効果が得られる。
【発明を実施するための最良の形態】
【００２１】
以下、図面を参照し、肩部、腰部などの湾曲部を含む部位の温熱治療に好適な温熱治療用具を具体的に説明する。なお、説明に用いる図面においては、同一又は同種の部分に同じ番号を付して、重複する説明を省略することがある。
【００２２】
図１は、本発明の実施の形態に係る温熱治療用具の一例を示す図であり、（ａ）は温熱治療用具の全体を示す平面図、（ｂ）は（ａ）に示したＩ−Ｉ'切断線における断面構造を示す模式的断面図である。
【００２３】
図１に示した温熱治療用具１は、肩部用の温熱治療用具の例であり、図１（ａ）に示したように、可撓性帯状体１１に、発熱部１２が６つ設けられている。温熱治療用具１は、発熱部１２が、両側の肩部の菱形筋部、僧帽筋部及び肩甲筋部に当たるように、可撓性帯状体１１の形状が扁平なＵ字形となっている。また、発熱部１２が６つに分割されて、可撓性帯状体１１に設けられているので、湾曲部のある肩部の各部位によくフィットするように構成されている。
【００２４】
図１（ｂ）に断面構造を示したように、可撓性帯状体１１は基材シート１３と酸素透過性シート１４とを含んで構成され、発熱部１２は、基材シート１３と、酸素透過性シート１４と、基材シート１３と酸素透過性シート１４との間に形成された袋状の収容部１５と、収容部１５に充填された発熱組成物１６とを含んで構成されている。また、収容部１５は、発熱組成物１６によって完全に充填されているのではなく、後に説明するように、発熱組成物１６が充填されていない非充填部１７が存在する。なお、この非充填部１７は、発熱組成物１６が粒状であり、ある程度の流動性を有しているので、発熱組成物１６の流動に応じて、空隙の形状が変わり得る性質のものである。また、収容部１５の外周部１８ａ、１８ｂは、粒状の発熱組成物１６が洩れないように、基材シート１３と酸素透過性シート１４とが接着した構造となっている。
【００２５】
図２は、基材シート１３の好ましい構成例を示す断面図である。基材シート１３は、背部の肩部などの湾曲部にもフィットする程度の可撓性を有する材料で構成されている。基材シート１３は、ポリエチレン、ポリプロピレン、ポリエチレン−ポリプロピレン共重合体、ナイロン−ポリエチレン共重合体などの単一の層で構成してもよいが、図２に示したように、乳白ポリエチレン、ポリエチレン、ポリプロピレンなどの発熱組成物１６を保持することができる保持層１３ａと、皮膚への粘着作用のあるアクリル樹脂系、ゴム系樹脂などの粘着層１３ｂと、温熱治療用具１が使用されるまでの間、粘着層１３ｂを被覆する剥離紙１３ｃとで構成されていることが好ましい。なお、剥離紙１３ｃの構成成分は、ポリエチレン、紙、シリコーン、ポリプロピレン、ポリエチレンテレフタレートなどが好適である。また、基材シート１３は、酸素透過性である必要はなく、気密質の材料で構成することができる。
【００２６】
酸素透過性シート１４は、可撓性を有するとともに、発熱組成物１６に酸化反応を起こさせるのに必要な、空気中の酸素を透過させる性質を有する織布又は不織布を含んで形成されたシートである。例えば、ナイロン系、レーヨン系、ポリエステル系、セルロース、綿、麻、絹、羊毛、ビスコースレーヨン、アクリルビニロン、ポリプロピレン、アセテート、ガラス繊維、ポリウレタンなどの織布又は不織布が適している。酸素透過性シート１４は、これらの材料１層で構成してもよいが、図３に一例を示したように、ナイロン系の不織布１４ａに、ポリエチレン多孔質層１４ｃを通気性接着層１４ｂによって貼り合わせた構成としてもよい。この場合、ポリエチレン多孔質層１４ｃは、基材シート１３の接着効果と透過する酸素の量を調節する効果を有している。なお、ナイロン系不織布１４ａの代わりに、上記のレーヨン系、ポリエステル系、セルロース、綿、麻、絹、羊毛、ビスコースレーヨン、アクリルビニロン、ポリプロピレン、アセテート、ガラス繊維、ポリウレタンなどの織布又は不織布を用いてもよく、ポリエチレン多孔質層の代わりに、ポリプロピレン、ポリエチレン−ポリプロピレン共重合体、ナイロン−ポリエチレン共重合体などの多孔質層を用いてもよい。
【００２７】
発熱組成物１６は、通常の温熱治療用具に用いられている酸化発熱型の組成物であり、その組成は、例えば、質量％で、鉄粉：３０〜８０％、活性炭、非活性炭及びそれらの混合物：３〜２５％、アルカリ金属、アルカリ土類金属などの金属塩：０．５〜１０％、水分：１〜４０％などを含むものである。このほか、空気中の酸素と反応し、発熱する性質を有するものであれば、その他の組成の発熱組成物を利用することができる。
【００２８】
また、発熱組成物１６の粒度は、特に限定されるものではないが、発熱部１２が体にフィットしやすく、また、発熱速度、発熱時間を所定の値とすることができるように、粒径５３μｍ以上の粒を約５０質量％以上含む粒度であることが好ましい。
【００２９】
本発明の実施の形態に係る温熱治療用具１においては、以下に説明するように、収容部１５内の発熱組成物１６の充填割合Ｒと収容部１５の平面視面積Ｓ（単位：ｃｍ2）との間に、下記（１）式に基づく制限が設けられているとともに、Ｒが０．７未満である。
【００３０】
Ｒ≦−０．０１６Ｓ＋０．９４        （１）式
ただし、Ｒは下記式で表されるものとする。
【００３１】
Ｒ＝（収容部内の発熱組成物の質量）／（収容部に充填可能な発熱組成物の質量）
なお、「収容部に充填可能な発熱組成物の質量」とは、振動、揺動等により、収容部１５に、発熱組成物１６を充填することができる最大限の質量を意味する。
【００３２】
上記（１）式は、本発明者らが、肩部や腰部などの体表面の起伏部や湾曲部に、温熱治療用具１がもっともよくフィットする条件を追求した結果得られた条件式である。（１）式が導き出された根拠は下記のとおりである。
【００３３】
図４は、発熱組成物１６の充填割合Ｒと体表面へのフィット感との関係を示すグラフである。このグラフが、（１）式を導き出す基礎となった調査結果である。調査に用いた温熱治療用具のサンプルは、全体の形状が図１に例示した形状の温熱治療用具と同じタイプである。調査用のサンプルは、図５に示したように、発熱部１２の数を分割することにより、収容部１５の平面視面積（以下、単に「面積」と記すこともある）を１８．９〜１４３ｃｍ2の範囲に変化させた。また、各サンプルの収容部内の発熱組成物１６の質量を変えることにより、充填割合を０（発熱組成物なし）〜１．０（発熱組成物を最大限に充填）の範囲に変化させた。なお、図５（ａ）は分割なしで収容部１５の面積１４３ｃｍ2（最大充填量：９０．４ｇ）、（ｂ）は２分割で各発熱部の面積６９．５ｃｍ2（最大充填量：４４．１ｇ）、（ｃ）は４分割で同じく面積３０．０ｃｍ2（最大充填量：１９．０ｇ）、（ｄ）は６分割で同じく面積１８．９ｃｍ2（最大充填量：１２．０ｇ）である。
【００３４】
これらのサンプルに関して、被験者６人を対象に、５段階に区分して、サンプルの体表面へのフィット感を調査した。なお、この調査では、フィット感のみを明らかにするために、発熱組成物１６は発熱させずに常温の状態とした。
【００３５】
図４に示したグラフの縦軸は、６人の評点の合計であり、評点２５以上が良好なフィット感が得られる条件である。図６は、図４における評点２５に対応する収容部の面積Ｓと充填割合Ｒとの関係を示すグラフである。図６に示した（１）式で表される直線以下の領域が、フィット感が良好な条件に該当している。（１）式は、収容部１５の面積の増加に伴って、発熱組成物１６の充填割合の上限を低下させることによって、良好なフィット感が得られることを示している。
【００３６】
また、（１）式の条件を満たすとともに０．７未満である場合には、発熱組成物１６の充填割合が制限されているので、発熱組成物１６が流動しやすく、発熱部１２の柔軟性にも優れている。収容部１５の面積の増加に伴って、発熱組成物１６の充填割合の上限を低下させる必要があるのは、収容部１５の面積に対して可撓性帯状体１１の部分の面積が少なくなるため、発熱部１２により高い柔軟性を与える必要があるためと考えられる。
【００３７】
本発明の実施の形態に係る温熱治療用具１においては、発熱組成物１６の発熱量を、０．２６ｋｃａｌ／ｃｍ2以上とする。一般に、温熱治療による効果は、人体の皮膚温度が３８〜４２℃の範囲に５時間以上保持された場合に、顕著に現れるとされている。図７は、収容部１５の面積が１８．９ｃｍ2の場合について、発熱組成物１６の充填量と人体の皮膚温度が約４０℃に保持される時間との関係を調査した結果を示すグラフである。図７において、人体の皮膚温度を約４０℃に５時間以上保持することができる発熱組成物の充填量は、５．２３ｇであることが確認された。この調査で用いた発熱組成物の発熱量は、０．９５ｋｃａｌ／ｇであるので、この結果から、単位面積当たりに必要な発熱量は、０．２６ｋｃａｌ／ｃｍ2（０．９５×５．２３／１８．９）以上であることが導かれた。
【００３８】
なお、発熱組成物は、組成によって単位質量当たりの発熱量が相違するので、用いる発熱組成物に応じて、上記の０．２６ｋｃａｌ／ｃｍ2以上を満足する発熱組成物の充填量を決めることが好ましい。
【００３９】
図１に示した実施の形態に係る温熱治療用具１は、肩用で、全体の形状が扁平なＵ字形で、発熱部１２が６つ設けられている肩用として好ましい例である。このタイプは、収容部１５における発熱組成物１６の充填割合が０．６３以下で、収容部１５の面積が約１９ｃｍ2となっている。
【００４０】
また、肩用の別の実施の形態に係る温熱治療用具として、図５（ｃ）に示したように、発熱部１２が４つ設けられているタイプも肩用に適しており、その場合は収容部１５における発熱組成物１６の充填割合が０．４５以下で、収容部１５の面積は約３０ｃｍ2である。
【００４１】
図８は、さらに別の実施の形態に係る温熱治療用具を示す平面図であり、（ａ）片側の肩の治療用、（ｂ）は腰部の治療用として好適な温熱治療用具の例である。これらの扁平Ｌ字形をした片側の肩用の温熱治療用具２、帯状の腰部用の温熱治療用具３は、いずれも複数の発熱部１２を備え、発熱組成物１６の充填割合が前述の（１）式を満足し、収容部１５における発熱組成物１６の発熱量が０．２６ｋｃａｌ／ｃｍ2を満足するものである。
【００４２】
なお、上記の実施の形態に係る温熱治療用具においては、各発熱部１２は面積が同じである必要はない。
【００４３】
上記の温熱治療用具１〜３は、例えば、次の方法によって製造することができる。図９は、図１に示した温熱治療用具１を製造する製造装置の構成例を示す模式的側面図である。１対のドラム２１と２２とを備えており、この２つのドラム２１と２２との間で、基材シート１３と酸素透過性シート１４とが押圧される。基材シート１３と酸素透過性シート１４は、それぞれ基材シートロール１３Ａ、酸素透過性シートロール１４Ａにより供給される。ドラム２１、２２はいずれも約１２０℃に加熱されており、下側のドラム２２は磁力により、ドラム２２の表面に発熱組成物１６を吸着する作用を有している。
【００４４】
図１０は、発熱組成物１６を温熱治療用具１の発熱部１２に封入する方法を説明するための図であり、（ａ）は型板２３とその凹部２３ａを示す平面図、（ｂ）は上側のドラム２１に設けられた凹部２１ａを示すドラムの展開図、（ｃ）は下側のドラム２２に設けられた凹部２２ａに発熱組成物１６が吸着された状態を示すドラムの展開図である。図１０に示したドラム２１、２２及び型板２３には、温熱治療用具１の発熱部１２に対応する位置に、それぞれ収容部１５の面積に相当する凹部２１ａ、２２ａ、２３ａが設けられており、型板２３の凹部２３ａとロール２２の凹部２２ａの位置が一致し、ロール２１の凹部２１ａとロール２２ａの凹部２２ａとが相互に対面するようになっている。
【００４５】
はじめに、型板２３の凹部２３ａに所定量の発熱組成物１６を入れた状態で、基材シート１３を介して、ドラム２２の下側を通過させる。磁性体である発熱組成物１６は、ドラム２２の磁力によって吸引されドラム２２に設けられている凹部２２ａ部で、基材シート１３の表面に吸着される。その状態でドラム２１、２２間で、基材シート１３と酸素透過性シート１４とを押圧するとともに、ドラム２１、２２により加熱する。この押圧と加熱により、ドラム２１、２２の凹部２１ａ、２２ａを除く部分の基材シート１３と酸素透過性シート１４を接着する。
【００４６】
図１１は、ドラムにより発熱部１２が形成される状態を示す部分拡大断面図である。ドラム２１、２２の凹部２１ａ、２２ａが対面した状態では、凹部の周囲では基材シート１３と酸素透過性シート１４とが加熱圧着される。凹部に位置する長さＬの部分では基材シート１３と酸素透過性シート１４とが接着しないので、この領域が発熱組成物１６の収容部１５となる。前述のように、発熱部１２は、（１）式で表される所定の充填割合以下としなければならないが、この長さＬに対応する面積を選択することによって、（１）式を満足する充填割合を決定することができる。
【００４７】
上記の方法で発熱部１２が形成されたシートから、温熱治療用具１の形状にカッティングすることにより、温熱治療用具１を得ることができる。次に、得られた温熱治療用具１を酸素非透過性のシート等で密封する。この密封は、温熱治療用具１が使用されるまでの間、発熱組成物１６の酸化反応を防止するためのものである。
【図面の簡単な説明】
【００４８】
【図１】本発明の実施の形態に係る温熱治療用具の一例を示す図であり、（ａ）は温熱治療用具の全体を示す平面図、（ｂ）は（ａ）に示したＩ−Ｉ'切断線における断面構造を示す模式的断面図である。
【図２】基材シートの好ましい構成例を示す断面図である。
【図３】酸素透過性シートの好ましい構成例を示す断面図である。
【図４】発熱組成物の充填割合Ｒと体表面へのフィット感との関係を示すグラフである。
【図５】体表面へのフィット感の調査に用いた温熱治療用具を示す平面図であり、（ａ）収容部が分割されていない場合、（ｂ）は２分割の場合、（ｃ）は４分割の場合、（ｄ）は６分割の場合である。
【図６】評点２５における充填割合と収容部の面積との関係を示すグラフである。
【図７】発熱組成物の充填量と人体の皮膚温度が約４０℃に保持された時間との関係を調査した結果を示すグラフである。
【図８】別の実施の形態に係る温熱治療用具を示す平面図であり、（ａ）片側の肩の治療用、（ｂ）は腰部の治療用として好適な温熱治療用具の例である。
【図９】図１に示した温熱治療用具を製造する製造装置の構成例を示す模式的側面図である。
【図１０】発熱組成物を温熱治療用具の発熱部に封入する方法を説明するための図であり、（ａ）は型板とその凹部を示す平面図、（ｂ）は下側のドラムに設けられた凹部に発熱組成物が吸着された状態を示すドラムの展開図、（ｃ）は上側のドラムに設けられた凹部を示すドラムの展開図である。
【図１１】ドラムにより発熱部が形成される状態を示す部分拡大断面図である。
【符号の説明】
【００４９】
１、２、３    温熱治療用具
１１      可撓性帯状体
１２      発熱部
１３      基材シート
１４      酸素透過性シート
１５      収容部
１６      発熱組成物
１７      非充填部
２１、２２    ドラム
２１ａ、２２ａ、２３ａ    凹部
２３      型板
【図１】
0004646503.tif 000002
【図２】
0004646503.tif 000003
【図３】
0004646503.tif 000004
【図４】
0004646503.tif 000005
【図５】
0004646503.tif 000006
【図６】
0004646503.tif 000007
【図７】
0004646503.tif 000008
【図８】
0004646503.tif 000009
【図９】
0004646503.tif 000010
【図１０】
0004646503.tif 000011
【図１１】
0004646503.tif 000012